(57)【要約】【課題】本発明は、室内を冷却するエアコンの消費電力を低減することができるデータセンタを提供することを目的とする。【解決手段】本発明は、室内１ａから室外１ｂに熱を輸送すると共に蒸発部４ａおよび凝縮部４ｂを有するヒートパイプ４と、前記室内１ａに露出するように設けられると共に前記蒸発部４ａに接する熱伝導板６と、前記室外１ｂに露出するように設けられると共に前記凝縮部４ｂに接する他の熱伝導板７と、を備え、前記凝縮部４ｂは、更に蓄熱部材８に接することを特徴とする。【選択図】図１
2016071694.tif 000002
【特許請求の範囲】
【請求項１】
室内と室外とを仕切る仕切部材で区画されたデータセンタであって、
前記室内から前記室外に熱を輸送すると共に蒸発部および凝縮部を有するヒートパイプと、前記室内に露出するように設けられると共に前記蒸発部に接する熱伝導板と、前記室外に露出するように設けられると共に前記凝縮部に接する他の熱伝導板と、を備え、前記凝縮部は、更に蓄熱部材に接することを特徴とするデータセンタ。
【請求項２】
前記蓄熱部材が前記仕切部材の少なくとも一部として設けられることを特徴とする請求項１に記載のデータセンタ。
【請求項３】
前記蓄熱部材が前記仕切部材の室外側に設けられることを特徴とする請求項１又は２に記載のデータセンタ。
【請求項４】
前記蓄熱部材の前記室外側に断熱部材が設けられていることを特徴とする請求項１〜３の何れか１項に記載のデータセンタ。
【請求項５】
前記蓄熱部材の前記室内側に断熱部材が設けられていることを特徴とする請求項１〜４の何れか１項に記載のデータセンタ。
【請求項６】
前記ヒートパイプの前記凝縮部が接する前記他の熱伝導板に空冷機構または水冷機構が設けられていることを特徴とする請求項１〜５の何れか１項に記載のデータセンタ。
【請求項７】
前記蓄熱部材が、コンクリートで形成されていることを特徴とする請求項１〜６の何れか１項に記載のデータセンタ。
【発明の詳細な説明】
【技術分野】
【０００１】
この発明は、室内にサーバを収容するデータセンタであって、特に、効率よく冷却可能な冷却装置が設けられているデータセンタに関するものである。
【背景技術】
【０００２】
データセンタは、室内に少なくとも複数のサーバが設けられており、これらのサーバが発する熱によって室内の温度が上昇するため、エア・コンディショナ（以下、エアコンと記すことがある）などの冷却機によって室温を低下させるように構成されている。
【０００３】
しかしながら、データセンタでは少なくとも複数のサーバが常に稼働しているため、室温を一定に保つためには、常にエアコンを稼働させておく必要があり、その運転時間の増大にともなってエアコンの消費電力が増大してしまうという問題があった。
【０００４】
そこで、特許文献１には、所定の室内に少なくとも複数のサーバが設けられ、これらのサーバが発する熱によって暖められる前記所定の室内を冷却する冷却機を備えたデータセンタの冷却装置において、前記サーバによって暖められた前記所定の室内の熱を、熱輸送方向が一方向のヒートパイプによって熱輸送して大気中に放熱することにより、つまり、データセンタの室外の外気中に放熱することにより、前記冷却機の負荷を低減することが記載されている。
【先行技術文献】
【特許文献】
【０００５】
【特許文献１】特開２０１１−２２０６３３号公報
【発明の概要】
【発明が解決しようとする課題】
【０００６】
上記特許文献１に開示された室内に少なくとも複数のサーバが設けられたデータセンタの冷却装置では、データセンタの室外の外気温が高い場合、外気温とヒートパイプの凝縮部との温度差が小さくなり、ヒートパイプが室内の熱を外気中に効率よく熱輸送することができず、室内を冷却するエアコンの消費電力を低減することができないおそれがあった。
【０００７】
本発明は上記の技術的課題に着目してなされたものであり、外気温とヒートパイプの凝縮部との温度差が小さいときでも、データセンタの室内の熱を効率よく室外に移動させ、室内を冷却するエアコンの消費電力を低減することができるデータセンタを提供することを目的とするものである。
【課題を解決するための手段】
【０００８】
上記の目的を達成するために、本発明に係るデータセンタは、室内と室外とを仕切る仕切部材で区画されたデータセンタであって、前記室内から前記室外に熱を輸送すると共に蒸発部および凝縮部を有するヒートパイプと、前記室内に露出するように設けられると共に前記蒸発部に接する熱伝導板と、前記室外に露出するように設けられると共に前記凝縮部に接する他の熱伝導板と、を備え、前記凝縮部は、更に蓄熱部材に接することを特徴とする。
【０００９】
さらに本発明は、前記蓄熱部材が前記仕切部材の少なくとも一部として設けられることが好ましい。この場合、前記蓄熱部材が前記仕切部材の室外側に設けられても良い。
【００１０】
さらに本発明は、前記蓄熱部材の前記室外側に断熱部材が設けられていることが好ましい。
【００１１】
また本発明は、前記蓄熱部材の前記室内側に断熱部材が設けられていてもよい。
【００１２】
さらに本発明は、前記ヒートパイプの前記凝縮部が接する前記他の熱伝導板に空冷機構または水冷機構が設けられていることが好ましい。
【００１３】
さらに本発明は、前記蓄熱部材が、コンクリートで形成されていることが好ましい。
【発明の効果】
【００１４】
本発明によれば、外気温が高く、外気温とヒートパイプの凝縮部との温度差が小さくても、ヒートパイプの凝縮部が室外に設けられた他の熱伝導板と蓄熱材とに接しているため、データセンタ内の熱をヒートパイプを介して外気に放熱することに加えて、外気温よりも温度が低い蓄熱材にも放熱することができ、データセンタの室内を冷却するエアコンの消費電力を低減することができる。
【図面の簡単な説明】
【００１５】
【図１】本発明の第１の実施形態に係るデータセンタを示す断面図である。
【図２】本発明の第１の実施形態の変形例に係るデータセンタを示す断面図である。
【図３】本発明の第２の実施形態に係るデータセンタを示す断面図である。
【図４】本発明の第３の実施形態に係るデータセンタを示す断面図である。
【図５】（ａ）は他の熱伝導板に空冷機構を設けた場合の他の熱伝導板付近の断面図であり、（ｂ）は（ａ）を鉛直方向から見たときの断面図である。
【図６】他の熱伝導板に水冷機構を設けた場合のデータセンタを示す断面図である。
【発明を実施するための形態】
【００１６】
以下、添付図面を参照して、本発明の好適な実施形態について詳細に説明する。なお、
図面の説明において同一又は相当部分には同一符号を付し、重複する説明は省略する。
【００１７】
《第１の実施形態》
本発明の第１の実施形態に係るデータセンタ１は、複数のサーバ２が設けられたデータセンタであり、図１に示すように、エアコン３と、ヒートパイプ４と、仕切部材５とを備える。以下、図１を参照して、それぞれの構成について説明する。
【００１８】
データセンタ１には、複数のサーバ２が壁５ａと天井５ｂと床５ｃからなる仕切部材５で区画された室内１ａに収納されており、室内１ａの温度を一定に保つためエアコン３が取り付けられている。データセンタ１の室内１ａには熱伝導板６が設置されており、データセンタ１の室外１ｂには他の熱伝導板７が設置されている。この熱伝導板６と他の熱伝導板７はヒートパイプ４によって熱的に接続されている。熱伝導板６はヒートパイプ４の蒸発部４ａと接しており、他の熱伝導板７はヒートパイプ４の凝縮部４ｂと接しており、室内１ａから室外１ｂに熱を輸送することができる。さらにヒートパイプ４の凝縮部４ｂは蓄熱部材８と接している。また、他の部屋１１は他の壁９ａと他の天井９ｂと他の床９ｃからなる他の仕切部材９で区画されている。
【００１９】
エアコン３は、データセンタ１の天井５ｂに形成された空気の出入口３ｃと、天井５ｂ内に設置され空気の出入口３ｃに連通するダクト３ｂと、室外１ｂに設置されダクト３ｂに連通する熱交換器３ａとを備えている。なお、空気の出入口３ｃは、壁５ａの上方に形成してもよい。さらに、冷却した空気の入口をデータセンタ１の床５ｃに、暖かい空気の出口を天井５ｂや壁５ａに形成し、熱交換器３ａとダクト３ｂで連通してもよい。エアコン３は空冷式、水冷式などデータセンタ１の大きさやサーバ２の数に応じて適宜選択される。
【００２０】
ヒートパイプ４は、管状の密閉容器内に封入された作動流体の潜熱を利用する熱輸送素子である。ヒートパイプ４は、管状の密閉容器の一方端側に蒸発部４ａを、他端側に凝縮部４ｂを、蒸発部４ａと凝縮部４ｂとを接続する断熱部４ｃを備えている。ヒートパイプ４の密閉容器は、中空のパイプの両端を封止して管状の中空構造を形成している。この密閉容器の材質は銅、アルミニウム、ステンレスなど熱伝導性のよい材料が好ましい。この中でも、劣化による交換頻度をできるだけ少なくするために、ステンレスなどの耐食性の材料がより好ましい。密閉容器内に封入された作動流体は、ヒートパイプ４の熱輸送媒体であり、水やエタノールなどの周知の相変化物質によって構成されている。また、ヒートパイプ４内には、毛管力によって液相の作動流体（以下「作動液」という。）を流動させる図示しないウイックが設けられている。
【００２１】
ウイックは、毛管力によって凝縮部４ｂで凝縮した作動液を蒸発部４ａに還流させるための部材である。ウイックは、複数本の金属細線（例えば銅細線）を束状に形成した線条ウイックを用いることができる。束状に形成されたウイックには、金属細線同士の間に長手方向に延びる隙間が形成されており、その隙間が毛管力によって作動液を還流させる液体流路となる。線条ウイックはヒートパイプ４内において、蒸発部４ａから凝縮部４ｂまで延びるように配置されている。なお、ウイックとしては線条ウイックの他に複数個の銅粉末をヒートパイプ内で焼結させ固定した粉末ウイックも用いることができる。
【００２２】
蒸発部４ａは、熱伝導板６から熱を受け取るように接している。そのため、蒸発部４ａでは、熱伝導板６の熱によって作動液が蒸発して気相の作動流体（以下「蒸気」という。）になる。また、凝縮部４ｂは、作動流体の熱をヒートパイプ４の外部の他の熱伝導板７へ放熱するように接している。そのため、凝縮部４ｂでは、蒸発部４ａで生じた蒸気を凝縮させて液相の動作液に戻ることになる。
【００２３】
ヒートパイプ４は、効率よく熱を伝導するために熱伝導板６および他の熱伝導板７とは、はんだ付け、溶着、ろう付け金具によるネジ止めなど、より密着できるような手段で接している。さらに、ヒートパイプ４は、少なくとも蒸発部４ａおよび凝縮部４ｂを扁平に加工してもよい。扁平に加工することにより熱伝導板６と蒸発部４ａおよび他の熱伝導板７と凝縮部４ｂの接触面積が増加し、さらに効率よく熱を伝導することができる。
【００２４】
ヒートパイプ４は、データセンタ１の天井５ｂからの他の部屋１１の他の壁９ａにかけて設置されている。本実施形態では、ヒートパイプ４が天井５ｂと他の床９ｃと他の壁９ａの中に埋め込まれている。そして、本実施形態では、蓄熱部材８は他の壁９ａを兼ねており、蓄熱部材８は他の壁９ａとしても機能している。また、ヒートパイプ４を天井５ｂや他の壁９ａの面に沿って配置して金具などによりネジ止め固定してもよい。設置の形態としては、蒸発部４ａが熱伝導板６と接しており、凝縮部４ｂが他の熱伝導板７および蓄熱部材８と接していればいかなる形態としてもよい。つまり、ヒートパイプ４は天井５ｂと他の壁９ａ以外のデータセンタ１の壁５ａ、他の部屋１１の他の天井９ｂに設置されていてもよい。例えば、ヒートパイプ４が、蒸発部４ａから凝縮部４ｂにかけて、天井５ｂから他の床９ｃ、他の床９ｃから別の他の壁９ａ（例えば紙面に対して手前側の他の壁９ａ）、別の他の壁９ａから他の壁９ａ（例えば紙面に対して右側の他の壁９ａ）に順に埋め込まれて、設置されていてもよいし、天井５ｂから他の床９ｃ、他の床９ｃから別の他の壁９ａ（例えば紙面に対して手前側の他の壁９ａ）、別の他の壁９ａから他の天井９ｂ、他の天井９ｂから他の壁９ａ（例えば紙面に対して右側の他の壁９ａ）に順に埋め込まれて、設置されていていてもよい。この他に例えば、蒸発部４ａが天井５ｂに設置され、凝縮部４ｂが他の天井９ｂに設置されている場合、ヒートパイプ４が、蒸発部４ａから凝縮部４ｂにかけて、天井５ｂから他の床９ｃ、他の床９ｃから他の壁９ａ、他の壁９ａから他の天井９ｂと順に埋め込まれて、設置されていてもよい。また、ヒートパイプ４はデータセンタ１の大きさやサーバ２の数に応じて複数本設置してもよい。
【００２５】
ここで、ヒートパイプ４による熱輸送サイクルについて説明する。ヒートパイプ４の作動時、蒸発部４ａが熱伝導板６の熱を受け取ることによって、蒸発部４ａで作動液が蒸発する。蒸発で生じた蒸気は、蒸発部４ａよりも圧力および温度が低い凝縮部４ｂへ向けて流動する。蒸発部４ａから凝縮部４ｂに到達した蒸気は、凝縮部４ｂで他の熱伝導板７および蓄熱部材８に放熱して凝縮する。凝縮部４ｂで凝縮した作動液は、ヒートパイプ４の内部に設けられたウイックによって、凝縮部４ｂから蒸発部４ａへ還流される。蒸発部４ａに還流した作動液は、熱伝導板６の熱によって再び蒸発し、上述した熱輸送サイクルを繰り返すことになる。
【００２６】
仕切部材５はサーバ２が設置されたデータセンタ１の室内１ａと室外１ｂに区画する部材である。つまり、本実施形態では、仕切部材５はデータセンタ１の室内１ａを構成する壁５ａや天井５ｂや床５ｃである。したがって、仕切部材５を構成する材料は木材、石膏ボード、鉄筋コンクリートなど特に限定されることはなく、複数の材料より構成されていてよい。また、仕切部材５の内部が一部空洞になっていてもよい。
【００２７】
熱伝導板６は、データセンタ１の天井５ｂに設置されており、少なくとも一方の面がデータセンタ１の室内１ａに露出した平板状の部材である。熱伝導板６は、サーバ２によって温められたデータセンタ１の室内１ａの熱を受け取り、ヒートパイプ４の蒸発部４ａへ熱伝導させる。本実施形態では、熱伝導板６は比較的暖かい空気がたまりやすい天井５ｂに設置されているが、壁５ａの上方の位置に設置されても良い。また、天井５ｂに設置する場合は、サーバ２によって温められた空気がたまりやすいサーバ２の直上に設置することが好ましい。また、熱伝導板６には銅やアルミニウムなどの熱伝導性の高い金属が用いられる。また、熱伝導板６の面積は、ヒートパイプ４の蒸発部４ａと接する面積よりも広いことが好ましい。これにより、サーバ２によって温められたデータセンタ１の室内１ａの熱をヒートパイプ４の蒸発部４ａへ効率よく熱伝導することができる。また、熱伝導板６はデータセンタ１の大きさやサーバ２の数に応じて複数枚設置してもよい。
【００２８】
他の熱伝導板７は、蓄熱部材８に設置されており、少なくとも一方の面が室外１ｂに露出した平板状の部材である。また、他の熱伝導板７は、ヒートパイプ４の凝縮部４ｂと接しており、ヒートパイプ４の凝縮部４ｂから熱を受け取り、データセンタ１の室外１ｂに放熱する。なお、他の熱伝導板７は室外１ｂに露出していればよく、他の熱伝導板７は、仕切部材５や他の天井９ｂや他の床９ｃに接していてもよい。他の熱伝導板７は、熱伝導板６と同様に銅やアルミニウムなどの熱伝導性の高い金属が用いることができるが、他の熱伝導板７を屋外に晒す場合は耐食性の材料を用いることが好ましい。この場合、例えば、純アルミニウムの他に、アルミニウム−マグネシウム系合金、アルミニウム−マグネシウム系合金、アルミニウム−マグネシウム−シリコン系合金等の各種アルミニウム合金などを用いることが好ましい。また、他の熱伝導板７の面積は、ヒートパイプ４の凝縮部４ｂと接する面積よりも広いことが好ましい。これにより、ヒートパイプ４の凝縮部４ｂの熱を効率よくデータセンタ１の室外１ｂに放熱することができる。また、他の熱伝導板７はデータセンタ１の大きさやサーバ２の数に応じて複数枚設置してもよい。また、他の熱伝導板７は風通しがよい場所に設置されることにより、ヒートパイプ４の凝縮部４ｂの熱を効率よくデータセンタ１の室外１ｂに放熱することができる。ファンなどの機械を利用して強制的に風を発生させる機械換気設備をさらに設けてもよい。これにより、ヒートパイプ４の凝縮部４ｂの熱をより効率よくデータセンタ１の室外１ｂに放熱することができる。
【００２９】
さらに、他の熱伝導板７が屋外に設置される場合、他の熱伝導板７が直射日光によって温められるとヒートパイプ４の凝縮部４ｂの熱を他の熱伝導板７に熱伝導しにくくなる。このため、他の熱伝導板７はデータセンタ１の北側の壁５ａや他の壁９ａ、または、屋根などによって直射日光が当たりにくい箇所に設置するのが好ましい。また、他の熱伝導板７に直射日光が当たらないように日光を遮るための専用のひさし、屋根、壁を設けてもよい。これにより、他の熱伝導板７に直射日光が当たりにくくなるか直射日光が当たらないため、他の熱伝導板７が直射日光によって温められることを防ぐことができ、ヒートパイプ４の凝縮部４ｂから他の熱伝導板７への熱伝導の効率低下を防ぐことができる。
【００３０】
蓄熱部材８は、コンクリートなど熱容量の大きな蓄熱材で形成されており、ヒートパイプ４の凝縮部４ｂから熱を受け取る。ヒートパイプ４は、凝縮部４ｂが他の熱伝導板７と接している部分以外は全て蓄熱部材８に覆われるように設置されている。蓄熱部材８は、ヒートパイプ４の凝縮部４ｂと接すると共に、他の熱伝導板７とも接している。また、蓄熱部材８はヒートパイプ４の凝縮部４ｂのみと接していてもよい。本実施形態において蓄熱部材８は、データセンタ１とは別の他の部屋１１を構成している他の仕切部材９（他の壁９ａ）であり、この他の壁９ａにヒートパイプ４の凝縮部４ｂが接している。蓄熱部材８は他の壁９ａ以外の仕切部材５や他の仕切部材９に用いられていてもよく、ヒートパイプ４の凝縮部４ｂと接しない部分に蓄熱部材８が用いられていてもよい。
【００３１】
蓄熱部材８が仕切部材５または仕切部材５の一部の部材である場合、ヒートパイプ４の凝縮部４ｂが接している蓄熱部材８はデータセンタ１の室外１ｂ側に設けられている。蓄熱部材８が仕切部材５または仕切部材５の一部の部材であるため、部材点数を減らし、コンパクトなデータセンタをとすることができる。
【００３２】
蓄熱部材８は夜間に冷えた外気と接触する面積を増やすために、適宜、通気口を有していてもよく、蓄熱部材８が有する通気口に換気扇のような機械を利用して強制的に換気を行なう機械換気設備が設置されていてもよい。
【００３３】
本実施形態におけるデータセンタ１の作用効果について説明する。
本実施形態におけるデータセンタ１によれば、外気温が高く、外気温とヒートパイプ４の凝縮部４ｂとの温度差が小さくても、ヒートパイプ４の凝縮部４ｂが室外１ｂに設けられた他の熱伝導板７と蓄熱部材８とに接しているため、データセンタ１内の熱をヒートパイプ４を介して外気に放熱することに加えて、外気温よりも温度が低い蓄熱部材８にも放熱することができ、データセンタ１の室内１ａを冷却するエアコン３の消費電力を低減することができる。
【００３４】
即ち、凝縮部４ｂが接している蓄熱部材８は、これを形成する蓄熱材が熱しにくく冷めにくい性質をもつので、外気の冷えた夜間では外冷気が蓄熱部材８に触れることで、蓄熱部材８に冷熱が蓄えられる。やがて日が昇り外気温が上昇しても蓄熱部材８に蓄えられた冷熱は直ちに放熱されることなく蓄熱部材８に保持されている。そのため、外気温が高くなり、外気温とヒートパイプ４の凝縮部４ｂが接する他の熱伝導板７との温度差が小さくなって、凝縮部４ｂから他の熱伝導板７を介して外気に熱を放熱しにくくなっても、凝縮部４ｂは冷熱を蓄えた蓄熱部材８と接しているため、凝縮部４ｂは蓄熱部材８に熱を放熱することができる。これにより、ヒートパイプ４は熱輸送サイクルを繰り返すことができ、データセンタ１の室内１ａの熱をヒートパイプ４を用いて室外１ｂに放熱することができるため、データセンタ１の室内１ａを冷却するエアコン３の消費電力を低減することができる。
【００３５】
また、図２に示すようにデータセンタ１の仕切部材５と他の仕切部材９の間に蓄熱部材８を設け、この蓄熱部材８の側面で凝縮部４ｂと接していてもよい。データセンタ１の仕切部材５と他の仕切部材９の間に蓄熱部材８を設けることにより、壁や天井や床として必要な強度などの機能を有しておらず、少なくとも蓄熱機能のみを有する蓄熱部材８を利用することができる。例えば、液体から固体、固体から液体に相変化する際に、放出もしくは吸収される熱エネルギーである「潜熱」を利用した潜熱蓄熱材なども利用することができるようになる。
【００３６】
《第２の実施形態》
図３は本発明の第２の実施形態に係るデータセンタを示す断面図である。
第２の実施形態に係るデータセンタ１Ａは、蓄熱部材８として機能する仕切部材５の外側（天井５ｂの上方側）、つまり、データセンタ１Ａの屋根（室外１ｂ）側に断熱部材１０である外断熱部材１０ａが設けられている。外断熱部材１０ａは、屋根側の全面を覆うように設けても良く、少なくとも一部を覆うように設けても良い。
【００３７】
蓄熱部材８の上方側に外断熱部材１０ａを設けることで、温められた外気の熱を蓄熱部材８に熱伝達することを防ぐことができる。外断熱部材１０ａは例えば石膏ボード、無機繊維材、無機発泡材、樹脂繊維材、樹脂発泡材、天然素材繊維材などから構成されている。また、無機繊維材、無機発泡材、樹脂繊維材、樹脂発泡材、天然素材繊維材などの部材を組み合わせて外断熱部材１０ａを構成しても良い。また、シリカを含む塗料など赤外線を反射する機能を有する塗料を蓄熱部材８に塗布することで外断熱部材１０ａとしてもよい。また、石膏ボード、無機繊維材、無機発泡材、樹脂繊維材、樹脂発泡材、天然素材繊維材などや、これらの組合せからなる部材上にさらにシリカを含む塗料など赤外線を反射する機能を有する塗料を塗布して外断熱部材１０ａとして用いてもよい。
【００３８】
蓄熱部材８の外側に外断熱部材１０ａが設けられているため、外気温が高くなった場合でも、蓄熱部材８の温度が高くなることを抑え、蓄熱部材８にヒートパイプ４の凝縮部４ｂを介してデータセンタ１Ａの室内１ａの熱を効率よく熱伝導することができ、データセンタ１Ａの室内１ａを冷却するエアコン３の消費電力をより低減することができる。
【００３９】
《第３の実施形態》
図４は本発明の第３の実施形態に係るデータセンタを示す断面図である。
第３の実施形態に係るデータセンタ１Ｂは、第１の実施形態に係るデータセンタ１において、仕切部材５の内側、つまり、データセンタ１の室内１ａ側に断熱部材１０である内断熱部材１０ｂがさらに設けられている。内断熱部材１０ｂは、室内１ａの全面を覆うように設けても良く、少なくとも一部を覆うように設けても良い。
【００４０】
室内１ａ側に断熱部材１０である内断熱部材１０ｂを設けることで、データセンタ１Ｂの室内１ａの熱の出入りを少なくして、データセンタ１Ｂの室内１ａの温度を一定に保つことができる。内断熱部材１０ｂは例えば石膏ボード、無機繊維材、無機発泡材、樹脂繊維材、樹脂発泡材、天然素材繊維材などから構成されている。また、膏ボード、無機繊維材、無機発泡材、樹脂繊維材、樹脂発泡材、天然素材繊維材などの部材を組み合わせて内断熱部材１０ｂを構成しても良い。
【００４１】
仕切部材５の少なくとも一部に内断熱部材１０ｂが設けられているため、エアコン３やヒートパイプ４によって冷却されたデータセンタ１の室内１ａの冷熱が仕切部材５に熱伝達して、冷熱が逃げてしまうことを防ぐことができる。
【００４２】
また、蓄熱部材８の外側の少なくとも一部に外断熱部材１０ａを設けると共に、仕切部材５の少なくとも一部に内断熱部材１０ｂを設けてもよい。この場合、外断熱部材１０ａと内断熱部材１０ｂは同じ材料を用いた部材でもよく、異なる材料を用いた部材を用いてもよい。蓄熱部材８の外側の少なくとも一部に外断熱部材１０ａを設けると共に、仕切部材５の少なくとも一部に内断熱部材１０ｂを設けることにより、ヒートパイプ４の凝縮部４ｂから蓄熱部材８に熱伝導した熱が仕切部材５を介してデータセンタ１の室内１ａに戻ることも防ぐことができ、データセンタ１の室内１ａを冷却するエアコン３の消費電力をより低減することができる。
【００４３】
他の熱伝導板７は、さらに空冷機構を備えてもよい。図５は空冷機構を備えた他の熱伝導板７付近の拡大図である。図５（ａ）は、他の熱伝導板７に空冷機構を設けた場合の他の熱伝導板７付近の断面図である。図５（ｂ）は、図５（ａ）を鉛直方向から見たときの断面図である。
【００４４】
他の熱伝導板７には空冷機構として複数の矩形板状のフィン２１が他の熱伝導板７に対してそれぞれ略垂直方向に立設されている。さらに複数フィン２１は、それぞれが平行となるように並んで配置されており、複数のフィン２１の間には空間が形成されている。また、この複数の矩形板状のフィン２１は、他の熱伝導板７に設置された状態で矩形板状のフィン２１と矩形板状のフィン２１の間の空間が鉛直方向に延びるように立設されており、鉛直方向に空気が通り抜けることができるようになっている。
【００４５】
この空冷機構を設置することにより、ヒートパイプ４の凝縮部４ｂから他の熱伝導板７に熱伝導された熱は、さらに他の熱伝導板７からフィン２１に熱伝導されフィン２１から室外１ｂに放熱される。他の熱伝導板７にフィン２１が複数設けられることにより、室外１ｂに放熱する放熱面積が広くなるため、ヒートパイプ４の凝縮部４ｂから他の熱伝導板７に熱伝導された熱をより効率的に室外１ｂに放熱することができる。さらに、複数のフィン２１の間の空間が鉛直方向に延びているため、フィン２１から放熱された熱によって温められた外気は、この空間を通って上昇する。したがって、自然と上昇気流が生じるため、フィン２１からの熱の放熱が促進される。フィン２１の形状は上辺が長い直角三角形のような形状でもよい。フィン２１の板面形状は上辺が長い、直角三角形のような形状の場合、煙突効果による上昇気流の発生がより促進されるため、フィン２１からの熱の放熱がより促進される。また、さらにフィン２１からの熱の放熱を促進するために、ファンなどの機械を利用して強制的に風を発生させる図示しない機械換気設備をフィン２１の下部側に設けてもよい。
【００４６】
他の熱伝導板７にはさらに水冷機構を備えてもよい。図６は他の熱伝導板７に水冷機構を設けた場合のデータセンタを示す断面図である。他の熱伝導板７と水冷機３１が水冷ジャケット３２を介して熱的に接続されている。
【００４７】
ヒートパイプ４の凝縮部４ｂから他の熱伝導板７に熱伝導された熱が、室外１ｂに放熱されると共に、水冷ジャケット３２を介して水冷機３１によって他の熱伝導板７が冷却される。水冷ジャケット３２と水冷機３１は配管３３を介して冷却水が循環している。水冷機構を設けることにより、室外１ｂの温度変化に影響されず他の熱伝導板７が冷却されるので、ヒートパイプ４の凝縮部４ｂから他の熱伝導板７に熱伝導された熱をより効率的に放熱することができる。本実施例では冷媒に水を用いた水冷機構であるが、冷却水は水に限定されない。例えばエチレングリコールなどでもよく、複数の材料を混ぜ合わせた液体でもよい。
【００４８】
さらに、図６の他の熱伝導板７のように板状のフィン２１と水冷機構を併用することもできる。空冷機構と水冷機構を併用する場合、図６のように板状のフィン２１よりも他の熱伝導板７の上部側に水冷ジャケット３２を備えることが好ましい。フィン２１よりも他の熱伝導板７の上部側に水冷ジャケット３２を備えることにより、フィン２１で放熱しきれなかった残った熱のみを水冷ジャケット３２を介して水冷機３１によって冷却するため、水冷機３１の消費電力を低減することができる。
【符号の説明】
【００４９】
１…データセンタ、  １ａ…室内、  １ｂ…室外、  ２…サーバ、  ３…エアコン（エア・コンディショナ）、  ４…ヒートパイプ、  ４ａ…蒸発部、  ４ｂ…凝縮部、  ４ｃ…断熱部、  ５…仕切部材、  ５ａ…壁、  ５ｂ…天井、  ５ｃ…床、  ６…熱伝導板、  ７…他の熱伝導板、  ８…蓄熱部材、  ９…他の仕切部材、  ９ａ…他の壁、  ９ｂ…他の天井、  ９ｃ…他の床、  １０…断熱部材、  １０ａ…外断熱部材、  １０ｂ…内断熱部材、  １１…他の部屋、  ２１…フィン、  ３１…水冷機、  ３２…水冷ジャケット
【図１】
2016071694.tif 000003
【図２】
2016071694.tif 000004
【図３】
2016071694.tif 000005
【図４】
2016071694.tif 000006
【図５】
2016071694.tif 000007
【図６】
2016071694.tif 000008